(57)【特許請求の範囲】
【請求項１】
ドライバローラ対（４，４’）を有するドライバ（３）と、ストリップ走行方向（Ｂ）の下流に配設された操作機構と、下側もしくは上側案内通路（１，２）に向かって旋回可能な切替え装置（５）と、この切替え装置の下に旋回可能に支承された、スクレーパとして下のドライバローラ（４’）に当接可能な誘導テーブル（６）とを有する、下側案内通路（１）から上側案内通路（２）へと、またその逆の方向へとコイラ設備においてストリップを転向するための装置において、
切替え装置（５）が、それぞれその上下の面を凸に形成され、これらに割当て可能なストリップ搬送ローラ軌道（７，７’）の排出端に、この切替え装置が持ち上げられたポジションで下側案内通路（１）を解放するように旋回可能に配設されていること、誘導テーブル（６）が、切替え装置（５）の下面に適合して凹に形成されていること、そして切替え装置（５）にも、誘導テーブル（６）にも、それぞれ１つの操作機構（８，８’）が付設されていること、切替え装置（５）が、スクレーパの機能を果たして上のドライバローラ（４）に当接し、誘導テーブル（６）の当接面が、下のドライバローラ（４’）に形状一体的に当接するために形成されており、スクレーパの機能を担うことを特徴とする装置。
【請求項２】
切替え装置（５）のドライバローラの方向に向いた端部が、両側が凸になる尖端部の形に形成されていることを特徴とする請求項１に記載の転向装置。
【請求項３】
ドライバローラ対（４，４’）に、ストリップ走行方向（Ｂ）の下流でストリップ搬送ローラ軌道の排出端（７’）が付設されていることを特徴とする請求項１又は２に記載の転向装置。
【請求項４】
切替え装置（５）及び誘導テーブル（６）の誘導面が、滑車（１２）を備えていることを特徴とする請求項１〜３のいずれか１つに記載の転向装置。
【発明の詳細な説明】
【技術分野】
【０００１】
本発明は、ドライバローラ対を有するドライバと、ストリップ走行方向の下流に配設された操作機構と、下側もしくは上側案内通路に向かって旋回可能な切替え装置と、この切替え装置の下に旋回可能に支承された、スクレーパとして下のドライバローラに当接可能な誘導テーブルとを有する、下側案内通路から上側案内通路へと、またその逆の方向へとコイラ設備においてストリップを転向するための装置に関する。
【背景技術】
【０００２】
コイラ設備におけるこのような転向装置の機能においては、ストリップの先端部、即ち先行するストリップのストリップエンドに追従するストリップのいわゆるストリップヘッドが、先行するストリップエンドとは違うコイラに供給されることが重要である。このため、ストリップに対して２つの異なったストリップ案内通路が、即ちいわゆる「下側案内通路」と相応の「上側案内通路」が使用される。従って、各ストリップは、下側案内通路から上側案内通路へと−またその逆の方向へと−ストリップを入れ替える際に転向されなければならない。実際は、これは、多コイラ設備にとっても、ロータもしくはタレットコイラ設備にとっても必要である。
【０００３】
このため、十分な間隔を置いて互いに追従するストリップに対し、必要な転向を問題なく実施するために十分に時間が使用される。何故なら、追従ストリップが走入する前に、当該転向装置の全ての要素を次のポジションに移すことができるからである。
【０００４】
しかしながら連続するストリップの間隔が小さくなればなるほど、増々迅速にストリップの入替えが行なわれなければならず、これにより、結局、損傷及び誤切換えに繋がってしまう時間重視の位置決め工程が生じる。
【発明の開示】
【発明が解決しようとする課題】
【０００５】
本発明の基本にある課題は、時間重視の位置決め工程を回避しつつ前記の困難及び誤切換えを確実に回避し、ストリップの追従間隔が極端に少ない場合であっても転向工程における確実な機能を保証するコイラ設備における転向装置を提供することである。
【課題を解決するための手段】
【０００６】
この課題を解決するために、請求項１の上位概念に挙げた様式のコイラ設備においてストリップを転向するための装置において、切替え装置が、それぞれその上下の面を凸に形成され、これらに割当て可能なストリップ搬送ローラ軌道の排出端に、この切替え装置が持ち上げられたポジションで下側案内通路を解放するように旋回可能に配設されていること、誘導テーブルが、切替え装置の下面に応じて凹に形成されていること、そして切替え装置にも、誘導テーブルにも、それぞれ１つの操作機構が付設されていること、切替え装置が、スクレーパの機能を果たして上のドライバローラに当接し、誘導テーブルの当接面が、下のドライバローラに形状一体的に当接するために形成されており、スクレーパの機能を担うことが提案される。これは、切替え装置に対して、既にストリップエンドが通過してしまうまでは、上側案内通路もしくは下側案内通路への道が解放されているように位置決めすることを可能にする。ストリップが、切替え装置の角の鋭い尖端部の傍らを案内されることに基づいて引き裂かれるか完全に引きちぎられるという危険は、これにより排除される。
【０００７】
本発明によるこの形成によって、極端に小さい間隔でストリップが直接連続する場合でもストリップの問題のない転向が得られる。
【０００８】
この装置の更なる形成は、下位の請求項の特徴に応じて行なわれる。
【発明を実施するための最良の形態】
【０００９】
本発明を、以下で、図面を基にして詳細に説明する。
【００１０】
図１〜７は、詳細にコイラ設備における圧延ストリップのための本発明による転向装置を示し、この場合、コイラは図示されていないが、多コイラ設備であっても、ロータもしくはタレットコイラ設備であってもよい。
【００１１】
下側案内通路１とその上に位置する上側案内通路２は、排出するストリップ９もしくは９’を分離可能に案内するために設けられている。ドライバ３に向かってローラ軌道の左側の部分７上を走るストリップエンド１０に、図２による比較的小さい間隔を置いてストリップヘッド１１が追従する。このストリップヘッドは、更なる送りのために、ドライバローラ４，４’間の送り間隙によって検出され、通過させられる。
【００１２】
この場合、ドライバローラは、場合により、以下の説明に応じて垂直な面ｘ−ｘ又は傾斜した面ｙ−ｙ内に駆動可能に支承される。ストリップ９，９’が排出側を通過する際、このストリップは、切替え装置５及び誘導テーブル６のポジションに応じて下側又は上側案内通路１もしくは２に導入される。その位置決めは、好ましくは液圧ユニット８，８’によって行なわれる。Ｂで、本発明による転向装置を通るストリップ走行方向が指示されている。
【００１３】
切替え装置５は、それぞれその上下の面を凸に形成されており、従って、持ち上げられたポジションでスクレーパの機能を果たして緊密に上のドライバローラ４に密着することが可能な状況にある。相応に、誘導テーブル６は、その上面を、切替え装置５の下面に適合して形状一体的な当接のために凹に形成されているのに対し、その当接面は、下のドライバローラ４’に同様に形状一体的に当接するために形成されている。これにより、誘導テーブル６は、下のドライバローラ４’におけるスクレーパとしての付加的な機能の要求を満足する。
【００１４】
切替え装置５のドライバローラの方向に向いた端部は、両側が凸になる尖端部の形に形成されている。これにより、この尖端部が、例えば図２〜４が示すように、誘導テーブル６の凹の背面にほぼ間隙無く密着するという可能性が提供される。
【００１５】
ドライバローラ対４，４’に、ストリップ走行方向Ｂの下流でストリップ搬送ローラ軌道の排出側の部分７’が付設されていることによって、持ち上げられた切替え装置５の傍らを通過するストリップヘッド１１のために、衝撃のない通過が可能にされる。そして最後に、図７における模範的な図に従って、切替え装置５の誘導面も、誘導テーブル６の誘導面も、比較的小さい滑車１２を備えていてもよく、これは、案内通路１もしくは２において、摩擦及びこれにより条件付けられた摩耗の低減を導く。
【００１６】
下側案内通路もしくは下側搬送路から上側案内通路もしくは上側搬送路への、もしくはその逆の方向へのストリップの転向は、以下のように行なわれる：
１．ストリップが、下側案内通路１から上側案内通路２へと転向される場合；
ストリップが直接相前後して追従する場合、下側案内通路１をストリップが通過する場合には、切替え装置５が上のポジションに、誘導テーブル６が下のポジションに保持される。（図１）
ストリップエンドの直前に、誘導テーブル６が上のポジションに移動される。その際、コイル直径が最大の場合、ストリップ９は、誘導テーブル６の端部におけるローラ１’だけに当接するか容易にこのローラを中心として曲げられる。
ストリップエンド１０が通過する前に、切替え装置５が、下に向かって切り換えられ、ストリップ９を誘導テーブル６に押し付け、その際、上側案内通路２への道を解放する。（図２）
上のドライバローラ４が、垂直に下のローラ４’の下へと配置される。従って、後続のストリップ９’のストリップヘッド１１は、上側案内通路２に走入することができるのに対し、先行するストリップ９のストリップエンド１０は、切替え装置５と誘導テーブル６の上面間の案内間隙内を通過させられる。（図３及び４）
２．ストリップが、上側案内通路２から下側案内通路１へと転向される場合；
このため、上のドライバローラ４が面ｙ−ｙ内に押され、従って、ストリップ９は、下側案内通路１の方向に転向される。
切替え装置５が、下からストリップ９’及び上のドライバローラ４に押し付けられ、これにより、下側案内通路１への道が、しかも追従するストリップヘッド１１’のために解放される。誘導テーブル６は、その下のポジションに位置する。（図５）
上側案内通路２へと走るストリップエンド１０が、上のドライバローラ４と切替え装置５の終縁部間を通過させられるのに対し、次のストリップのストリップヘッド１１は、下側案内通路へと転向される。
予め説明した措置により、ストリップが、切替え装置５の角の鋭い尖端部の傍らを案内されることに基づいて引き裂かれるか完全に引きちぎられるという危険が排除される。
【図面の簡単な説明】
【００１７】
【図１】ローラ軌道の部分間にある下側及び上側案内通路と、上のドライバローラに切替え装置が当接した場合に傾斜した面ｙ−ｙ内にあるドライバとを有する転向装置を示す。
【図２】垂直な面ｘ−ｘ内にドライバポジションがある場合に降下して誘導テーブルに当接する切替え装置と、誘導テーブルと切替え装置間にある下側案内通路を通るストリップ通路とを有する転向装置を示す。
【図３】降下した切替え装置を介して上側案内通路へと誘導されるストリップヘッドが到着したところを示す。
【図４】ドライバ及び切替え装置のポジションが変更されない場合に、ストリップが上側案内通路を通って送られるところを示す。
【図５】上のポジションにある切替え装置と傾斜した面ｙ−ｙにあるドライバと、走出するストリップエンドは、切替え装置によって上のドライバローラに当接させられ、そして追従するストリップヘッドのための上側案内通路への道が準備されたところとを示す。
【図６】下側案内通路に誘導された次のストリップのストリップヘッドを示す。
【図７】小さい滑車を備えた切替え装置及び誘導テーブルの案内面を示す。
【符号の説明】
【００１８】
１      下側案内通路
２      上側案内通路
３      ドライバ
４      ドライバローラ４，４’
５      切替え装置
６      誘導テーブル
７      ストリップ搬送ローラ軌道７，７’
８      液圧ユニット
９      ストリップ／次のストリップ
１０    ストリップエンド１０，１０’
１１    ストリップヘッド
１２    滑車
Ｂ      ストリップ走行方向
【図１】
0004413143.tif 000002
【図２】
0004413143.tif 000003
【図３】
0004413143.tif 000004
【図４】
0004413143.tif 000005
【図５】
0004413143.tif 000006
【図６】
0004413143.tif 000007
【図７】
0004413143.tif 000008